(57)【特許請求の範囲】
【請求項１】
角質表面を修正するための装置であって、
アプリケータと、
第１の修正剤と、
センサーと、
ＣＰＵと、
を含み、
前記センサーは前記角質表面の小さい部分の特性を読取り、読取り値は前記ＣＰＵに伝送され、前記ＣＰＵは前記読取り値を既定の基準値と比較し、前記読取り値と前記基準値との間の差異を計算し、差異が既定のしきい値を超えていると、前記ＣＰＵは前記アプリケータに信号を送信し、前記アプリケータが起動して、第１の修正組成物の一部分を、前記しきい値を超える差異を有する読取り値を有する前記角質表面の同じ部分に適用する、装置。
【請求項２】
前記角質表面が、毛幹、毛孔、及びこれらの組み合わせからなる群から選択される、請求項１に記載の装置。
【請求項３】
前記第１の修正剤が脱毛用組成物である、請求項２に記載の装置。
【請求項４】
前記第１の修正剤が育毛用組成物である、請求項２に記載の装置。
【請求項５】
前記第１の修正剤が染毛用組成物である、請求項２に記載の装置。
【請求項６】
前記アプリケータが、ノズルと、前記ＣＰＵからの信号によって開閉され得るバルブとを備える、請求項１に記載の装置。
【請求項７】
前記センサーによって生成された前記読取り値が、色、テクスチャ、及びこれらの組み合わせからなる群から選択される特徴の値を含む、請求項２に記載の装置。
【請求項８】
角質表面を修正するための方法であって、
前記角質表面の小さい部分の特性を読取るセンサーを提供する工程と、
読取り値を、既定の基準値及び少なくとも１つの既定のしきい値でプログラムされたＣＰＵに送信する工程と、
前記ＣＰＵが、前記読取り値を前記基準値と比較し、前記読取り値と前記基準値との間の差異を計算する工程と、
を含み、
前記計算された差異が前記しきい値を超えていると、前記ＣＰＵはアプリケータに信号を送信し、前記アプリケータが起動して、第１の修正組成物の一部分を、前記しきい値を超える差異を有する読取り値を有する前記角質表面の同じ部分に適用する、方法。
【請求項９】
前記角質表面が、毛幹、毛孔、及びこれらの組み合わせからなる群から選択される、請求項８に記載の方法。
【発明の詳細な説明】
【技術分野】
【０００１】
本発明は、毛幹に組成物を適用するための装置に関する。この組成物は、毛髪の色又は構造を修正することができる。構造の修正は、人の皮膚から毛髪を完全に除去することを含み得る。
【背景技術】
【０００２】
染毛剤、育毛用組成物、及び脱毛用組成物は既知である。しかし、それらは全て、正確に適用することが非常に困難であるという共通の欠陥を有する。一般に脱毛剤と呼ばれる脱毛用組成物は、概して刺激の強い化学品である。それらは、不要な毛髪に適用するように設計されている。脱毛剤は、毛髪を本質的に溶解することによって毛髪を除去する。しかし、既存の技術は脱毛剤を毛髪とその毛髪の周辺の皮膚との両方に適用する。これが皮膚の炎症の原因となり得る。代替手段として、配合者は、皮膚への刺激がない脱毛剤を作製することができるが、これは必然的に脱毛効果を弱めることになる。
【０００３】
同様に、染毛剤は概して毛髪に適用されるが、それらも必然的に毛髪の周辺の皮膚に接触する。多くの場合、染毛剤は脱毛剤よりは皮膚への悪影響が少ないが、刺激が強く、皮膚の色を変更する場合がある。染毛剤は、典型的には、どろどろとした粘稠な組成物であり、組成物が毛幹に付着し所望の区域を染色することを願って毛髪にたっぷりと適用される。しかし、より粘稠度の低い染毛剤をより少量で使用して所望の区域のみをより正確に染色することができるよう、より正確な適用方法が利用可能となれば、有利であろう。
【０００４】
最後に、育毛用組成物は、本質的に、それを必要とする毛嚢にいくらかが浸み込むことを願って頭皮に注がれる。この場合も、より正確な適用方法が利用可能であれば、育毛用組成物を、頭皮全体を浸すことなく、それを必要とする毛嚢に少量の育毛用組成物を向けることができる。
【発明の概要】
【発明が解決しようとする課題】
【０００５】
したがって、非常に微細な顔毛、毛幹の一部、又は毛嚢の孔のような小さい区域に液体組成物を正確に適用することができる方法及び装置の必要性が存在する。これらの方法及び装置は、本発明によって規定される。
【課題を解決するための手段】
【０００６】
本発明の一実施形態では、アプリケータと、第１の修正剤と、センサーと、ＣＰＵと、を備える、角質表面を修正するための装置が提供される。センサーは、角質表面の小さい部分の特性を読取り、読取り値はＣＰＵに伝送され、ＣＰＵは読取り値を既定の基準値と比較し、読取り値と基準値との間の差異を計算する。差異が既定のしきい値を超えていると、ＣＰＵはアプリケータに信号を送信し、アプリケータが起動して、第１の修正組成物の一部分を、しきい値を超える差異を有する読取り値を有する角質表面の同じ部分に適用する。角質表面は、毛幹、毛孔、及びこれらの組み合わせからなる群から選択され得る。第１の修正剤は、脱毛用組成物、育毛用組成物、染毛用組成物などであり得る。センサーが生成する読取り値は、色、テクスチャ、及びこれらの組み合わせの群から選択される特徴の値を含むことができる。
【０００７】
本発明の更に別の実施形態では、角質表面を修正するための方法が提供され、この方法は、角質表面の小さい部分の特性を読取るセンサーを提供する工程と、読取り値を、既定の基準値及び少なくとも１つの既定のしきい値でプログラムされたＣＰＵに送信する工程と、を含む。ＣＰＵは、読取り値を基準値と比較し、読取り値と基準値との間の差異を計算する。計算された差異がしきい値を超えていると、ＣＰＵはアプリケータに信号を送信し、アプリケータが起動して、第１の修正組成物の一部分を、しきい値を超える差異を有する読取り値を有する角質表面の同じ部分に適用する。
【０００８】
本発明は、これまでの装置及び方法に伴う多くの問題を解決する。具体的には、本発明の装置及び方法により、染毛用、脱毛用、及び育毛用の組成物を、それが必要とされる場所に正確に適用することができる。これは、有意に少ない組成物の使用を可能にする。更に、修正剤で処置されない、周囲の角質表面は、刺激されず、不必要に染色されない。
【図面の簡単な説明】
【０００９】
本明細書は、本発明を特に指摘し明確に請求する特許請求の範囲をもって結論とするが、本発明は、添付図面と併せてなされる以下の説明からいっそう理解されるであろうと考えられる。
【図１】本発明による装置。
【図２】毛幹。
【発明を実施するための形態】
【００１０】
本発明は、実例的及び好ましい実施形態に関する、以下の発明を実施するための形態を参照することにより、更に容易に理解され得る。特許請求の範囲は、本明細書に記載されている具体的な組成物、方法、条件、装置、又はパラメータに限定されず、本明細書で使用される用語は、特許請求される本発明を限定することを意図するものではないということを理解すべきである。また、添付の特許請求の範囲を包含する本明細書において使用されるとき、単数形「ａ」、「ａｎ」、及び「ｔｈｅ」は複数形を含み、特定の数値への参照は、その文脈により特に明確に指示されていない限り、少なくともその特定の数値を含む。値の範囲が述べられている場合、別の実施形態は、その一方の特定の値から及び／又は他方の特定の値までを含む。同様に、先行する「約」を用いることにより値が近似値として表されている場合、その特定の値は別の実施形態を形成するものと理解される。全ての範囲は、包括的であり結合可能である。
【００１１】
別段の指定がない限り、本明細書において使用するすべての百分率及び比率は、組成物全体の重量によるものであり、また、すべての測定は２５℃でなされるものとする。
【００１２】
本発明の方法、装置、及び組成物は、使用方法を参照することによって最もよく理解される。次に、プロセス工程のそれぞれ、並びにその工程で使用される装置及び組成物について、以下に説明する。
【００１３】
最初に、角質表面（例えば毛髪又は皮膚）の一部分をセンサーで読取る。センサーからのデータを、分析装置（例えばＣＰＵ）で分析する。分析に基づいて、分析された角質表面の一部分をアプリケータで処置するか、又は処置せずに残す。表面を処置する必要があることが分析によって示された場合、アプリケータは修正組成物を適用する。
【００１４】
角質表面の読取り方法、使用されるセンサー、並びに角質表面及び分析機器の読取りは全て、公開済み特許出願である、２００７年２月１１日付で初出願された国際特許公開第ＷＯ  ２００８／０９８２３４  Ａ２号（Ｈａｎｄｈｅｌｄ  Ａｐｐａｒａｔｕｓ  ａｎｄ  Ｍｅｔｈｏｄ  ｆｏｒ  ｔｈｅ  Ａｕｔｏｍａｔｅｄ  Ａｐｐｌｉｃａｔｉｏｎ  ｏｆ  Ｃｏｓｍｅｔｉｃｓ  ａｎｄ  Ｏｔｈｅｒ  Ｓｕｒｆａｃｅｓ）、２００７年２月１２日付で初出願された国際特許公開第ＷＯ  ２００８／１００８７８  Ａ１号（Ｓｙｓｔｅｍ  ａｎｄ  Ｍｅｔｈｏｄ  ｆｏｒ  Ａｐｐｌｙｉｎｇ  ａ  Ｍｏｄｉｆｉｃａｔｉｏｎ  ｃｏｍｐｏｓｉｔｉｏｎ  ｔｏ  Ｃｈａｎｇｅ  ａ  Ｐｅｒｓｏｎ’ｓ  Ａｐｐｅａｒａｎｃｅ  Ｂａｓｅｄ  ｏｎ  ａ  Ｄｉｇｉｔａｌ  Ｉｍａｇｅ）、２００７年２月１１日付で初出願された国際特許公開第ＷＯ  ２００８／０９８２３５  Ａ２号（Ｓｙｓｔｅｍ  ａｎｄ  Ｍｅｔｈｏｄ  ｆｏｒ  Ｐｒｏｖｉｄｉｎｇ  Ｓｉｍｕｌａｔｅｄ  Ｉｍａｇｅｓ  Ｔｈｒｏｕｇｈ  Ｃｏｓｍｅｔｉｃ  Ｍｏｎｉｔｏｒｉｎｇ）、２００７年２月１２日付で初出願された国際特許公開第ＷＯ  ２００８／１００８８０  Ａ１号（Ｓｙｓｔｅｍ  ａｎｄ  Ｍｅｔｈｏｄ  ｆｏｒ  Ａｐｐｌｙｉｎｇ  Ａｇｅｎｔ  Ｅｌｅｃｔｒｏｓｔａｔｉｃａｌｌｙ  ｔｏ  Ｈｕｍａｎ  Ｓｋｉｎ）、２００５年８月１２日付で初出願された米国特許公開第２００７／００４９８３２  Ａ１号（Ｓｙｓｔｅｍ  ａｎｄ  Ｍｅｔｈｏｄ  ｆｏｒ  Ｍｅｄｉｃａｌ  Ｍｏｎｉｔｏｒｉｎｇ  ａｎｄ  Ｔｒｅａｔｍｅｎｔ  Ｔｈｒｏｕｇｈ  Ｃｏｓｍｅｔｉｃ  Ｍｏｎｉｔｏｒｉｎｇ  ａｎｄ  Ｔｒｅａｔｍｅｎｔ、及び２００５年８月１２日付で初出願された米国特許公開第２００７／００３５８１５  Ａ１号（Ｓｙｓｔｅｍ  ａｎｄ  Ｍｅｔｈｏｄ  ｆｏｒ  Ａｐｐｌｙｉｎｇ  ａ  Ｍｏｄｉｆｉｃａｔｉｏｎ  ｃｏｍｐｏｓｉｔｉｏｎ  ｔｏ  Ｉｍｐｒｏｖｅ  ｔｈｅ  Ｖｉｓｕａｌ  Ａｔｔｒａｃｔｉｖｅｎｅｓｓ  ｏｆ  Ｈｕｍａｎ  Ｓｋｉｎ）に記述されている。６つの全ての特許出願はＥｄｇａｒらによって出願された。Ｅｄｇａｒらによって出願されたそれら６つのそれぞれの全開示は、参照により本明細書に組み込まれる。
【００１５】
本発明によって使用される方法及び装置は、以下のように端的に要約され得る。ここで図１を参照すると、アプリケータ２０は、前記の６つのＥｄｇａｒらの出願に記述されているようにセンサー２４を備える。センサー２４は、例えば皮膚１２、毛髪１４、又はそれら両方である角質表面の領域を分析、即ち「読取り」、その読取り値を複数のフレクセル（frexel）に分割し、次に、複数のフレクセルのそれぞれの少なくとも１つの光学的属性を測定する。フレクセルの光学的属性をもとに、視覚的な魅力に影響する少なくとも１つの測定された特徴が識別される。
【００１６】
用語「フレクセル」は、角質表面の小さなピクセル様の領域として定義される。フレクセルは、そばかす又は他の皮膚の特徴の小さな部分に相当する場合もあれば、特別な特徴を有さない角質表面の区域に相当する場合もある。用語「フレクセル」は、測定されているものが平坦な表面ではなく３次元の表面上にあることを示唆するのに使用される。角質表面の領域は複数のフレクセルで構成されている。例えば、１１．８ドット／ｍｍ又は１１．８ｄｐｍｍ（３００ドット／インチ）という解像度が使用される場合、フレクセルは約０．０８５ｍｍ（１インチの３００分の１）の幅及び高さを有し得るので、１平方ｍｍ当たり約１４０フレクセル（１平方インチ当たり９０，０００フレクセル）がある。人体表面は数百万のフレクセルを有し得る。
【００１７】
センサー２４は、オプションのセンサーリード２６を介してＣＰＵ  ３２と電子通信する。任意の又は全ての電子部品間の無線通信が許容可能であり、特定の実施形態では好ましい場合がある。センサー２４からの読取り値はＣＰＵ  ３２に伝送され、皮膚の特徴の望まれる状態が、既定の外観に基づき、その特徴の読取りに関して決定される。信号は、バルブを作動させるオプションのバルブリード３０を介してバルブ２８に送信されて、少なくとも１つの修正組成物１６を特定のフレクセルに分配することができ、それにより、測定された皮膚の特徴を修正して、角質表面の特徴の望ましい状態に近づける。修正組成物１６は、リザーバ４０に収容されており、開口部１８から分配されることができる。
【００１８】
その他のオプションの構成要素としては、光源２２、光源リード２１、電源４２、及び装置をオン／オフするためのスイッチ３４が挙げられるが、これらに限定されない。本発明の好ましい実施形態では、モーションセンサー３６を使用して、角質表面全体を移動するアプリケータ２０の速度、角質表面に対するアプリケータ２０の角度、及び角質表面からのアプリケータ２０の距離を決定する。これらの次元の全ては、修正組成物１６のより正確かつより選択的な付着のために使用することができる。
【００１９】
ここで図２を参照すると、皮膚１１２上に延在する毛髪１１４が図示されている。毛髪１１４は、末端の色領域１１３及び根元の色領域１１５を有する。２つより多くの色領域があってもよいが、簡略さのために２つが示されている。一実施形態では、本発明の装置は、異なる色の毛嚢を読取り、修正を必要とする毛幹の部分のみに修正剤（例えば染毛剤）を選択的に適用するようにプログラムすることができる。同様に、この装置は、毛束間の色の異なりを識別することができる。例えば、白髪を識別し、白髪のみに修正剤を適用するように装置をプログラムすることができる。この場合、修正を必要とする毛幹の全体が覆われる一方で、その周囲の毛髪はそれほど修正されない。更に、装置は、複数の修正剤を適用すること、及びそれらを予めプログラムされたパターンで適用することができる。これは、複数の異なる色で毛髪を「ストリーキング」する一方で、所望によりいくつかの毛束を未修正に残すのに有用となるであろう。
【００２０】
ＣＰＵ  ３２のプログラミングは、当業者には既知であろう。しかし、論理は、望まれる基準を識別することを含む。染毛剤の場合、基準は望まれる毛髪の色であり得る。脱毛用途では、基準は毛髪のない皮膚であり得る。育毛剤の場合、基準は毛髪が成長する毛孔であり得る。しきい値は、補正を要する、基準からの特定の偏差であり得る。染毛用途では、しきい値は、分析された毛髪の区域が染毛剤の適用を必要とすることを示す、基準からの色の変化となるであろう。同様に、脱毛に関しては、皮膚のテクスチャを測定することができ、テクスチャの変化が、脱毛用組成物が適用される不要な毛髪の存在を示すことになるであろう。
【００２１】
更に別の実施形態では、本発明の装置は、異なる角質表面間を区別するようにプログラムすることができる。図１に示すように、皮膚１２から出ている毛髪１４を修正組成物で選択的に標的化することができる。下記実施例からわかるように、染毛剤及び脱毛用組成物は、皮膚への刺激が強い化合物を含有することが多い。したがって、修正組成物を毛幹に適用しながらも皮膚に接触する量を最低限にすることができる能力は、消費者体験を実質的に改善することができる。
【００２２】
最後に、本発明の装置は、毛幹を収容しているであろう孔、不健康な毛幹を収容しているであろう孔、又は抜け毛が生じる可能性の高い頭皮の区域（例えば男性の禿のパターンの区域）の毛幹を収容しているであろう孔を探しながら皮膚１２を読取るようにプログラムすることができる。装置は、例えば、（市販のミノキシジルのような）育毛刺激剤である場合がある修正剤を孔に適用することができる。この方法により、より高い濃度の修正剤を、それが必要とされる正確な区域に選択的に適用することができる。
【００２３】
装置１０は、手持ち携帯式であることが好ましいが、修正される角質表面全体に装置１０を移動させる構造体に繋留してもよい。手持ち携帯式である場合、消費者は、修正される角質表面全体に装置１０を単純に移動させることになる。所望により、複数の装置を固定構造体に構成してもよく、この場合、消費者は修正される角質表面を位置づけ、複数の読取り及び適用が同時に又は順次に生じる。
【００２４】
別の実施形態では、走査及び適用をほぼ同時に行い、表面に複数のパスを作ることによって、修正剤を角質表面に適用することができる。複数パスの適用を使用することによって、いくつかの利点がもたらされる。複数パスの適用のプロセスでは、修正剤の部分的適用を行ってから、その部分的適用を受けた皮膚の区域を再び走査する。修正剤の更なる適用を行ってもよく、更なる複数のパスの走査及び適用を行って、美的目標に近づけてもよい。
【００２５】
修正剤は、「流量制御」装置又は液ダレ防止制御装置で適用することができる。流量制御装置は、典型的には、物質の個々の滴が制御される「滴下制御技術」として特徴付けられる。当該技術分野で既知のインクジェット印刷機は、要求応答型滴下（drop on demand）アプリケータの例であり、この技術を本発明での使用に応用することができる。スプレー装置及び静電スプレー装置は、液滴が生成され集合体としてのみ制御される液ダレ防止制御技術である。多くの場合、スプレー装置においては、比較的大きい面積での滑らかな適用をもたらすために、個々の液滴制御がないこと、即ち「ランダムさ」が望まれる。対照的に、多くの場合、非常に特定された修正剤の量の制御及び配置をもたらすことが望まれる。
【００２６】
滴下制御の例としては、望まれるように液滴を送達するために物質の流れを正確に制御する「微流量制御（fine flow control）」、及び「インクジェット技術」が挙げられる。比較的旧式のインクジェット技術は、帯電している液滴の連続的な流れを、交互に帯電している静電偏向板を通って供給することによって、それらの板が液滴を通過させるか又はそれをそらしてガターに送るかのどちらかを可能にすることを含む。この技術は、インクジェット印刷機の最初の設計の基本であった。その他のインクジェット技術としては、Ｈｅｗｌｅｔｔ  Ｐａｃｋａｒｄが提供する熱装置のような「要求応答型滴下」、並びにＥｐｓｏｎ及びその他の印刷機製造業者が提供するような圧電デバイスが挙げられる。本発明の一実施形態では、要求応答型滴下技術を液滴の帯電と組み合わせる。
【００２７】
本発明では、旧式のインクジェット技術を使用して、帯電された液滴を走査方向のビームに送達することができる。現代のインクジェット印刷機は、限られた距離にわたり平坦な表面上に印刷するために最適化されてきた。本発明は、次元のある角質表面上に印刷し、多くの場合、液滴のより大きい飛距離を必要とする。このより大きい飛距離は、帯電されている液滴で可能な照準より優れた液滴照準によって容易となり得る。例えば、要求応答型技術を使用して、白色顔料の単一の液滴を顔面の染みにピクセルレベルの精度で適用することができる。
【００２８】
修正剤
本発明は、様々な修正剤を利用することができるが、主に染毛剤、脱毛用組成物（しばしば脱毛剤と呼ばれる）、及び育毛刺激剤に焦点を置く。これらの組成物、及びそれらの構成成分部分は、以下の実施例によって最も良く説明される。染毛剤に関して以下に記述する個々の化学組成物はそれぞれ、任意のその他の成分と組み合わせて使用してもよく、同様に、当業者は、脱毛剤に関して与えられている個々の組成物をその他の実施例に記載されている他の成分とともに使用してもよいことを理解するであろう。
【実施例】
【００２９】
以下の実施例は、本発明の範囲内にある実施形態を更に説明し、実証する。これら実施例は、本発明の趣旨及び範囲から逸脱することなく、それらの多くの変更が可能であることから、例示目的のためにのみ提供され、本発明を限定するものとして解釈されるべきではない。
【００３０】
染毛修正剤
毛髪染色用組成物は、概して、酸化剤及び顕色剤を含む。所望により、カップラーを使用してもよい。様々な他の化合物（一般にカップラーとして知られる）とともに、様々な芳香族化合物を顕色剤（前駆体又は一次中間体としても知られる）として使用することができる。これらは、色の形成のために酸化剤を必要とするため、酸化的毛髪染色剤と呼ばれる。顕色剤として記述される化合物は、酸化剤と反応して反応性の酸化された中間体を形成するものである。次いでこの中間体はカップラーと反応して、染色された分子を与える。いくつかの顕色剤は、同じタイプの別の分子と反応する（即ち、自己結合する）能力を有する。カップラーは概して酸化剤とは反応しないが、顕色剤と酸化剤との間の反応によって形成された反応性の酸化された中間体と反応する。
【００３１】
本発明によると、毛髪染色用組成物は、
（ｉ）少なくとも１つの顕色剤と、
（ｉｉ）少なくとも１つの酸化剤と、
（ｉｉｉ）所望により少なくとも１つのカップラーと、
を含む。
【００３２】
カップラー、顕色剤、及び酸化剤は、概して、国際特許公開第ＷＯ９８／５２５２２号並びに米国特許第７，０６６，９６２号及び同第６，４３２，１４７号に記述されており、これら３つの参照文献の全開示が参照により本明細書に組み込まれる。カップラーは、例えば０．０１〜４％、好ましくは０．０１〜２％、より好ましくは０．０３〜３％、例えば０．０３〜２％の量で、またいくつかの組成物では１未満又は０．５％未満の量で、使用することができる。顕色剤及びカップラーの合計濃度は、概して、要求されるシェードによって異なる。ブロンドシェードでは、０．００１〜４重量％の量が好ましい。赤色シェードでは、０．００１〜４重量％の量が好ましい。茶色シェードでは、０．０１〜４重量％の量が好ましい。黒色シェードでは、０．１〜４重量％の量が好ましい。
【００３３】
好ましい酸化剤は過酸化水素である。これは、毛髪に適用される組成物の重量に基づいて、多くの場合、最高１０重量％までの量で使用される。使用可能な他の酸化剤としては、他の無機過酸素酸化剤、予め形成された有機ペルオキシ酸酸化剤、及び他の有機過酸化物（過酸化尿素、過酸化メラミン、及びこれらの任意の組み合わせなど）が挙げられる。
【００３４】
好適な酸化剤は好ましくは水溶性であり、即ち、２５℃で１，０００ｍＬの脱イオン水当たり少なくとも約５ｇの溶解度を有する（‘Ｃｈｅｍｉｓｔｒｙ’Ｃ．Ｅ．Ｍｏｒｔｉｍｅｒ、５ｔｈ  Ｅｄｉｔｉｏｎ、ｐ  ２７７）。
【００３５】
通常、本発明の染色用組成物は、７を超えるｐＨ、とりわけ８又は９を超えるｐＨを有する。多くの場合、９〜１２のｐＨが好適である。本発明の系はまた、低いｐＨ（例えばｐＨ  １〜６）の毛髪染色系に組み込むことも可能である。
【００３６】
（実施例１）
表１に示す以下の組成物を使用して、Ｐｉｅｄｍｏｎｔ毛髪を染めることができる。染色用組成物１００ｇを１００ｇの２０体積過酸化水素と混合する。得られる混合物を毛髪に適用し、３０分間毛髪と接触させたままにする。染色した毛髪を、その後シャンプーし、水で濯ぎ、乾燥する。表１に示される成分の範囲は、毛髪染料製品中での記載物質の有用な濃度の例示である。
【００３７】
【表１】
0005243617.tif 000002
1全体として、これらの成分は２〜１５重量％の範囲内である。
2これらの染料前駆体の少なくとも１つが通常存在する。
*カップラーは、３−（Ｎ−アセチル）アミノ−１−フェノール−２−ピラゾリン−５−オン（ＮＡＰＰ）、２，６−ジクロロ−パラ−アミノフェノール（ＤＣＰ）、パラフェニレンジアミン（ＰＰＤ）、１．２％の３−アセトアミドフェノール（３ＡＰ）、及びこれらの混合物からなる群から、所望の毛色に依存して選択された。
【００３８】
脱毛用組成物
数多くの脱毛用組成物を以下に例示する。典型的には、これらの組成物は、２つの共通成分として担体及び活性物質を含有する。共通の担体は、水、アルコール、グリコール、グリセリン、及びこれらの混合物からなる群から選択することができる。活性物質は、以下に記述する様々な実施例によって最も良く説明される。
【００３９】
（実施例２）
従来の混合技術を利用して以下の成分を組み合わせることにより局所適用組成物を調製し、ＮａＯＨを加えることによりｐＨを６．０に調整する。
【００４０】
【表２】
0005243617.tif 000003
【００４１】
皮膚１００ｃｍ2当たり１０００ｍｇの組成物を顔面に１日２回局所適用して、不必要な軟毛を除去する。
【００４２】
（実施例３）
従来の混合技術を利用して以下の成分を組み合わせることにより局所適用組成物を調製し、ＮａＯＨを加えることによりｐＨを４．５に調整する。
【００４３】
【表３】
0005243617.tif 000004
【００４４】
皮膚１００ｃｍ2当たり４０００ｍｇの組成物を１日１回両脚に局所適用して硬毛を軟らかくする。
【００４５】
（実施例４）
従来の混合技術を利用して以下の成分を組み合わせることにより局所適用組成物を調製し、ＮａＯＨを加えることによりｐＨを約３．０に調整する。
【００４６】
【表４】
0005243617.tif 000005
【００４７】
皮膚１００ｃｍ2当たり２０００ｍｇの組成物を顔面に１日２回局所適用して、不必要な軟毛を除去する。
【００４８】
（実施例５）
従来の混合技術を利用して以下の成分を組み合わせることにより局所適用組成物を調製し、ＮａＯＨを加えることによりｐＨを５．０に調整する。
【００４９】
【表５】
0005243617.tif 000006
【００５０】
皮膚１００ｃｍ2当たり５００ｍｇの組成物を顔面に１日１回局所適用して、不必要な軟毛を除去する。
【００５１】
（実施例６）
従来の混合技術を利用して以下の成分を組み合わせることによりローションを調製し、ＮａＯＨを加えることによりｐＨを４．０に調整する。
【００５２】
【表６】
0005243617.tif 000007
*Ｄｏｗ  Ｃｈｅｍｉｃａｌ  Ｃｏ．より入手可能なジメチルポリシロキサン
【００５３】
皮膚１００ｃｍ2当たり１００ｍｇの組成物を顔面に１日３回局所適用して、不必要な軟毛を除去する。
【００５４】
（実施例７）
従来の混合技術を利用して以下の成分を混合することにより油中水型エマルションを調製し、ＮａＯＨを加えることによりｐＨを６．５に調整する。
【００５５】
【表７】
0005243617.tif 000008
【００５６】
エマルションは、油相１０部を取り出し、９０体積部の水相にゆっくりと攪拌しながら添加することによって調製する。最初の毛髪を剃毛により除去した後、１００ｃｍ2当たり約１０００ｍｇ付着させる量のエマルションを両脚に１日３回使用することが適切である。換わりに生えてくる硬毛は、除去された毛髪より軟らかい。
【００５７】
（実施例８）
以下の成分を混合することにより水中油型クリームを調製し、ＮａＯＨを加えることによりｐＨを３．５に調整する。
【００５８】
【表８】
0005243617.tif 000009
【００５９】
油相を混合し６５℃に熱することにより、クリームを調製する。水相を組み合わせ７０℃に熱する。適度に攪拌しながら水相を油相に添加する。適度な攪拌を適用しながら冷却する。１００ｃｍ2当たり約５ｍｇのクリームを１日１回顔面に付着させて、不必要な軟毛を除去する。
【００６０】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００６１】
相互参照される又は関連するいかなる特許又は出願書類も含め、本明細書において引用される全ての文献は、明示的に除外ないしは制限されない限り、その全体が参照により本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参照により組み込まれる文献における同一の用語のいずれかの意味又は定義と相反する限りにおいては、本書においてその用語に与えられた定義又は意味が適用されるものとする。
【００６２】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の「特許請求の範囲」で扱うものとする。
【図１】
0005243617.tif 000010
【図２】
0005243617.tif 000011